(57)【要約】【課題】  原稿読取ユニットの汚れ改善及び清掃性の向上、さらにプリンタの生産性の向上を実現した画像読取記録装置を提供する。【解決手段】  記録紙及び原稿の両方の分離を行う分離手段と、記録紙及び原稿を共に搬送する搬送パスと、画像を形成して記録紙に記録し、上方に記録紙の排紙空間を有する画像形成部と、記録紙を排紙する排紙ローラと、前記排紙ローラ直後に配設され、原稿から画像情報を読取るための原稿読取ユニットとを有する画像読取記録装置において、前記原稿読取ユニットを装置本体に対して回動可能に支持する。【選択図】        図２
2006106490.tif 000002
【特許請求の範囲】
【請求項１】
記録紙及び原稿の両方の分離を行う分離手段と、記録紙及び原稿を共に搬送する搬送パスと、画像を形成して記録紙に記録し、上方に記録紙の排紙空間を有する画像形成部と、記録紙を排紙する排紙ローラと、前記排紙ローラ直後に配設され、原稿から画像情報を読取るための原稿読取ユニットとを有する画像読取記録装置において、前記原稿読取ユニットを装置本体に対して回動可能に支持したことを特徴とする画像読取記録装置。
【請求項２】
前記画像読取記録装置は電子写真記録方式であることを特徴とする請求項１に記載の画像読取記録装置。
【発明の詳細な説明】
【技術分野】
【０００１】
本発明は原稿から画像情報を読取るための画像読取部と、画像を形成して記録媒体に記録する画像形成部とを有する、複写機、ファクシミリ、多機能プリンタ等の画像読取記録装置に関するものである。
【背景技術】
【０００２】
従来の原稿搬送パスと記録紙搬送パスを同一にした画像読取記録装置は、原稿読取ユニットを画像記録部の手前に設けている（例えば、特許文献１参照）。
【特許文献１】特開平５−２１９３１４号公報
【発明の開示】
【発明が解決しようとする課題】
【０００３】
しかしながら、上記のように原稿読取ユニットを画像記録部の手前に設けることは、プリンタとして使用する際にも常に記録紙が原稿読取ユニットを通過するために紙紛等により原稿読取ユニットが汚れやすく、また原稿読取ユニットの清掃性が悪くなるという問題があった。さらに、原稿読取ユニットの追加スペース分プリンタとしての生産性が悪くなるという問題があった。
【０００４】
そこで本発明は、このような現状に鑑みてなされたものであり、原稿読取ユニットの汚れ改善及び清掃性の向上、さらにプリンタの生産性の向上を実現した画像読取記録装置を提供することを目的とする。
【課題を解決するための手段】
【０００５】
この発明は下記の構成を備えることにより上記課題を解決できるものである。
【０００６】
（１）記録紙及び原稿の両方の分離を行う分離手段と、記録紙及び原稿を共に搬送する搬送パスと、画像を形成して記録紙に記録し、上方に記録紙の排紙空間を有する画像形成部と、記録紙を排紙する排紙ローラと、前記排紙ローラ直後に配設され、原稿から画像情報を読取るための原稿読取ユニットとを有する画像読取記録装置において、前記原稿読取ユニットを装置本体に対して回動可能に支持したことを特徴とする画像読取記録装置。
【発明の効果】
【０００７】
請求項１記載の発明によれば、原稿読取ユニットを記録紙排紙ローラ直後に回動可能に配設することで、プリンタとして使用する際には、原稿読取ユニットを装置から待避させることが可能となるため、記録紙による原稿読取ユニットの汚れの防止及び原稿読取ユニットの清掃性の向上、さらにプリンタの生産性の向上を実現できる。
【発明を実施するための最良の形態】
【０００８】
以下本発明を実施するための最良の形態を、実施例により詳しく説明する。
【実施例】
【０００９】
本発明に係る第１の実施例としてプリンタ機能を備えたデジタル複写機に適用した例を、図面を参照して具体的に説明する。説明の順序として、以下の順に説明する。
【００１０】
（１）デジタル複写機の全体構成、（２）情報を記録するための画像形成装置の構成、（３）画像を読取るための画像読取装置の構成。
【００１１】
（１）デジタル複写機の全体構成
図１は本発明に係るデジタル複写機の外観斜視図であり、図２はその構成断面図である。
【００１２】
このデジタル複写機は、図に示すように、装置上方の記録紙排紙部直後に、画像読取装置Ａを有し、その下方に画像形成装置Ｂを配置している。そしてコピーモードの場合には画像読取装置Ａで読取った画像情報を自己の画像形成装置Ｂで記録し、プリンターモードの場合にはホストＰＣからの画像情報を画像形成装置Ｂで記録する。
【００１３】
画像読取装置Ａは、原稿記載情報を読取るものであり、画像形成装置Ｂに対して回動支点１６ａ、１６ｂを中心に回動可能に取り付けられている。
【００１４】
画像形成装置Ｂは、光学系１から画像情報に基づいた光像を照射して像担持体である感光体ドラム７に静電潜像を形成し、プロセスカートリッジＣとしてカートリッジ化された画像形成部において前記感光体ドラム７に形成した静電潜像を現像剤（トナー）で現像しトナー像を形成する。
【００１５】
そして前記トナー像の形成と同期して記録紙Ｐを本体底部に配置した記録紙給紙部２より給紙し、搬送手段３によって搬送し、転写手段４によってトナー像を記録紙Ｐに転写し、その記録紙Ｐを定着手段５に搬送し、転写トナー像を定着して排紙手段６よってフェイスダウントレイ６ａへ排出する。
【００１６】
操作指示を入力するためのキー類や動作状況を表示する表示部を備えた操作部１７は、画像読取装置Ａの上部に配設されている。
【００１７】
また、図２に示すように、装置内部の底部には、電源入力部や画像形成に係る制御回路部を備えた電源回路基板２６が横たわって配設されている。
【００１８】
（２）情報を記録するための画像形成装置の構成
記録信号に応じて画像を形成する画像形成装置Ｂの各部の構成について、＜１＞光学系、＜２＞記録紙搬送手段、＜３＞転写手段、＜４＞定着手段、＜５＞排紙手段、＜６＞プロセスカートリッジ装着手段の順に説明する。
【００１９】
＜１＞光学系
光学系１は外部装置等から読み込んだ画像情報に基づいて光照射することによって感光体ドラム７へ光像を照射するものであり、図２に示すように、光学ユニット１ａ内にレーザーダイオード（不図示）、ポリゴンミラー１ｃ、スキャナーモータ１ｄ、結像レンズ１ｅ、反射ミラー１ｆが収納してある。
【００２０】
そして例えば自機の画像読取装置から画像信号が与えられると、レーザーダイオード（不図示）が前記画像信号に応じて発光し、ポリゴンミラー１ｃに画像光として照射する。このポリゴンミラー１ｃはスキャナーモータ１ｄによって高速回転し、該ポリゴンミラー１ｃで反射した画像光が結像レンズ１ｅ及び反射ミラー１ｆを介して回転する感光体ドラム７へ照射し、感光ドラム７の表面を選択的に露光して画像情報に応じた静電潜像を形成する。
【００２１】
＜２＞記録紙搬送手段
本実施例におけるデジタル複写機の場合は、装置底部に横たわり記録紙の一部を装置左側面（図２で左側）から突出させた記録紙給紙部２を有する。記録紙給紙部２は、装置本体内部に設けられた記録紙積載台２ａと、装置本体に着脱可能で装置外部に取り付けられる記録紙トレイ２ｂと、記録紙トレイ２ｂに対して上方に着脱可能なトレイ蓋２ｃからなる。
【００２２】
記録紙積載台２ａには記録紙Ｐの搬送方向と直角方向（記録紙Ｐの幅方向）にスライド可能に設けられたマルチスライダー２ｄにより、Ａ４サイズやレターサイズ等の定型サイズ紙はもとより葉書や封筒といった不定形サイズの記録媒体をサポートでき、記録紙給紙部２に載置された記録紙Ｐの両サイドを揃える事ができる。
【００２３】
また、トレイ蓋２ｃが装着された状態では、トレイ蓋２ｃの上面に設けられた手差しスライダー２ｅによる手差し給紙部２ｆを設けてあり、記録紙給紙部２で通常使用する記録紙Ｐ以外の記録媒体を使用する際には、記録紙積載台２ａに載置された記録紙Ｐを取り出す事無しに、この手差し給紙部２ｆからの給紙が可能となっている。
【００２４】
記録紙Ｐを搬送するための搬送手段３は、画像形成装置Ｂの略中央に配置され、記録紙給紙部２に載置した記録紙Ｐの最上位の１枚を、記録紙Ｐの先端部に設けたピックアップローラ３ａと、押圧ばね３ｃによって圧接された分離パッド３ｂにて一枚ずつ分離して搬送ローラ対３ｄまで給送する。
【００２５】
そして、この搬送ローラ対３ｄが画像形成動作と同期するように記録紙Ｐを画像転写部に搬送する。そして画像転写後の記録紙Ｐを、ガイド部材３ｅによって定着手段５に搬送し、定着後の記録紙Ｐは排紙手段６によって排出される。
【００２６】
＜３＞転写手段
転写手段４は画像形成部で感光体ドラム７に形成されたトナー像を記録紙Ｐに転写するものであり、本実施例の転写手段４は図２に示すように、転写ローラ４ａによって構成している。
【００２７】
即ち、装着したプロセスカートリッジＣの感光体ドラム７に転写ローラ４ａによって記録紙Ｐを押圧し、該転写ローラ４ａに感光体ドラム７に形成されたトナー像と逆極性の電圧を印加することにより、感光体ドラム７上のトナーを記録紙Ｐに転写する。
【００２８】
＜４＞定着手段
定着手段５は前記転写ローラ４ａの電圧印加によって記録紙Ｐに転写したトナー像を定着させるものである。その構成は図２に示すように、駆動回転する駆動ローラ５ａと、内部にヒータ５ｂを有し、前記駆動ローラ５ａと圧接して従動回転するシート部材を有する定着部材５ｃとからなる。
【００２９】
即ち、画像形成部でトナー像を転写された記録紙Ｐが前記駆動ローラ５ａと定着部材５ｃ間を通過する際に、両者５ａ，５ｃの押圧によって圧力が印加され、且つヒータ５ｂの発熱によって熱を印加され、記録紙Ｐ上のトナーが記録紙Ｐに定着する。
【００３０】
＜５＞排紙手段
トナー像を定着された記録紙Ｐは排紙手段６によって、記録画像面が下向きのフェイスダウン状態でフェイスダウントレイ６ａに積載されるか、もしくは装置本体の左側面に設けられた記録排紙部カバー６ｂを開放することで記録画像面が上向きのフェイスアップ状態で装置外に排出される。
【００３１】
フェイスダウン排紙の場合、定着手段５によって画像を定着された記録紙Ｐは、定着排紙ローラ対６ｃによって、記録排紙部カバー６ｂの開閉に連動して回動するフェイスダウン排紙ガイド６ｄによって形成されたフェイスダウン搬送路６ｅに沿って反転され、フェイスダウンローラ対６ｆまで搬送され、フェイスダウンローラ対６ｆによってフェイスダウントレイ６ａの上に印字面を下側にしてページ順に積載される。
【００３２】
封筒や葉書といった類の厚手の記録媒体や、ＯＨＰフィルムやラベルシールといった類の特殊な記録媒体の場合は、上述したフェイスダウン排紙での反転搬送によって記録媒体のヒートカールが大きくなったり、しわや折れといった不具合を発生する場合がある。このような不具合を回避するためにフェイスアップ状態での排紙を可能にしており、記録排紙部カバー６ｂを開放してフェイスダウン排紙ガイド６ｄを連動させて開放し、記録紙Ｐは定着排紙ローラ対６ｃによって装置外に排出され、定着後の記録媒体を反転させずに略真っ直ぐのフェイスアップ状態で排紙させられる。
【００３３】
また、フェイスダウン排紙のジャム処理時においても、記録排紙部カバー６ｂを開放してフェイスダウン排紙ガイド６ｄを連動させて開放することで、ジャム処理時の操作性を向上させる構成になっている。
【００３４】
＜６＞プロセスカートリッジ装着手段
画像形成装置Ｂ内にはプロセスカートリッジＣを装着するためのカートリッジ装着手段が設けてあり、プロセスカートリッジＣの装置本体に対する着脱は、開閉部材８を装置左方向に開くことによって行う。画像形成装置Ｂには搬送手段３、定着手段５、排紙手段６、プロセスカートリッジＣを駆動するための駆動手段が配設され、この駆動手段は、駆動源としてのモーターからの駆動力をギア列によって各回転体を駆動する。
【００３５】
（３）画像を読取るための画像読取装置の構成
画像読取装置は、原稿Ｓの先端部及び後端部を検出する原稿エッジセンサ１８と密着型イメージセンサ１２及び、密着型イメージセンサ１２に原稿を押圧するための押圧手段１０、排紙ローラ１４、排紙コロ１３を排紙ローラ１４に押圧するための板バネ１１から構成されている。密着型イメージセンサ１２は、光源としてのＬＥＤアレイから原稿Ｓの画像情報面に光を照射し、画像情報面で反射した反射光をセルフォックレンズ（登録商標）でセンサ素子に結像して画像情報を読取るものである。
【００３６】
原稿Ｓは手差し給紙部２ｆにセットされ、記録紙と同様にピックアップローラ３ａと、押圧ばね３ｃによって圧接された分離パッド３ｂにて一枚ずつ分離され、記録紙と同様の搬送パスを通過して、フェイスダウンローラ対６ｆまで搬送される。そして、原稿Ｓの先端が原稿エッジセンサ１８によって検知されると、その位置から所定量搬送されたところで、密着型イメージセンサ１２による画像情報の読取が開始される。そして、原稿エッジセンサ１８により原稿Ｓの後端が検知されると、その位置から所定量搬送されたところで、密着型イメージセンサ１２による画像情報の読取を終了する。そして、原稿Ｓは排紙ローラ１４により排紙される。
【００３７】
また図３に示すように、画像読取装置Ａは回動中心１６回りに回動可能となっており、装置をプリンタとして使用する場合には、待避させることができる。そのため、記録紙が画像読取装置Ａ内を通過しないため、プリンタの生産性を落とすことなく、また記録紙の紙紛などによる密着型イメージセンサ１２の汚れを防止することができる。
【００３８】
さらに、万が一汚れが発生したとしても、図４に示すように、上部のユニットＸが下部のユニットＹに対して回動中心１６回りに回動して分離することにより、ユーザが容易に密着型イメージセンサ１２を清掃することができる。
【図面の簡単な説明】
【００３９】
【図１】本発明の実施の形態に係る画像読取記録装置の斜視図である。
【図２】上記画像読取記録装置の断面図を示す図である。
【図３】上記画像読取記録装置の断面図を示す図である。
【図４】上記画像読取記録装置の断面図を示す図である。
【符号の説明】
【００４０】
Ａ    画像読取装置
Ｂ    画像形成装置
Ｃ    プロセスカートリッジ
Ｓ    原稿
Ｐ    記録紙
１    光学系
１ａ  光学ユニット
１ｃ  ポリゴンミラー
１ｄ  スキャナーモータ
１ｅ  結像レンズ
１ｆ  反射ミラー
２    記録紙給紙部
２ａ  記録紙積載台
２ｂ  記録紙トレイ
２ｃ  トレイ蓋
２ｄ  マルチスライダー
２ｅ  手差しスライダー
２ｆ  手差し給紙部
３    搬送手段
３ａ  ピックアップローラ
３ｂ  分離パッド
３ｃ  押圧ばね
３ｄ  搬送ローラ対
３ｅ  ガイド部材
４    転写手段
４ａ  転写ローラ
５    定着手段
５ａ  駆動ローラ
５ｂ  ヒータ
５ｃ  定着部材
６    排紙手段
６ａ  フェイスダウントレイ
６ｂ  記録排紙部カバー
６ｃ  定着排紙ローラ対
６ｄ  フェイスダウン排紙ガイド
６ｅ  フェイスダウン搬送路
６ｆ  フェイスダウンローラ対
７    感光ドラム
８    開閉部材
１０  押圧手段
１１  板バネ
１２  密着型イメージセンサ
１３  排紙コロ
１４  排紙ローラ
１６  回動中心
１６ａ、ｂ  回動支点
１７  操作部
１８  原稿エッジセンサ
２６  電源回路基板
【図１】
2006106490.tif 000003
【図２】
2006106490.tif 000004
【図３】
2006106490.tif 000005
【図４】
2006106490.tif 000006